(57)【要約】物品の真正品または模倣品を扱う店舗の情報を表示する。店舗情報表示システムは、物品の一部または全部を含む画像データを取得する画像取得手段と、物品識別情報と物品を含む画像データとを関連付けて記憶する物品情報記憶手段と、物品識別情報と物品の真正品または模倣品を扱う店舗の情報とを関連付けて記憶する店舗情報記憶手段と、画像取得手段が取得した画像データと物品情報記憶手段の画像データとに基づいて、取得した画像データに含まれる物品が真正品または模倣品であることを判定し、該判定の結果に基づいて、前記店舗情報記憶手段から物品に関連する前記店舗の情報を取得する真贋判定手段と、真贋判定手段が取得した店舗の情報を表示する表示手段と、を備える。
2016157835.tif 000002
【特許請求の範囲】
【請求項１】
物品の一部または全部を含む画像データを取得する画像取得手段と、
物品識別情報と物品を含む画像データとを関連付けて記憶する物品情報記憶手段と、
前記物品識別情報と物品の真正品または模倣品を扱う店舗の情報とを関連付けて記憶する店舗情報記憶手段と、
前記画像取得手段が取得した画像データと前記物品情報記憶手段の画像データとに基づいて、取得した画像データに含まれる物品が真正品または模倣品であることを判定し、該判定の結果に基づいて、前記店舗情報記憶手段から物品に関連する前記店舗の情報を取得する真贋判定手段と、
前記真贋判定手段が取得した前記店舗の情報を表示する表示手段を備える店舗情報表示システム。
【請求項２】
物品の一部または全部を含む画像データを取得する画像取得手段と、
会社識別情報と会社を判定するための画像データとを関連付けて記憶する会社情報記憶手段と、
前記会社識別情報と、物品の真正品または模倣品を扱う店舗の情報とを関連付けて記憶する店舗情報記憶手段と、
前記画像取得手段が取得した画像データと前記会社を判定するための画像データとに基づいて、前記取得した画像データに含まれる物品に関連する製造元会社を判定し、該判定した製造元会社に基づいて、前記店舗情報記憶手段から、当該会社に関連する前記店舗の情報を取得する会社判定手段と、
前記会社判定手段が取得した前記店舗の情報を表示する表示手段を備える店舗情報表示システム。
【請求項３】
物品の一部または全部を含む画像データを取得する画像取得手段と、
会社識別情報と会社を判定するための画像データとを関連付けて記憶する会社情報記憶手段と、
前記会社識別情報と前記物品識別情報とを関連付けて記憶する会社物品関連情報記憶手段と、
前記物品識別情報と物品の真正品または模倣品を扱う店舗の情報とを関連付けて記憶する店舗情報記憶手段と、
物品識別情報と物品とを含む画像データとを関連付けて記憶する物品情報記憶手段と、
前記画像取得手段が取得した画像データと前記物品情報記憶手段の画像データとに基づいて、取得した画像の物品が真正品又は模倣品であることを判定する真贋判定手段と、
前記画像取得手段が取得した画像データと前記会社を判定するための画像データとに基づいて、前記取得した画像データに含まれる物品に関連する製造元会社を判定し、前記真贋判定手段の判定の結果と、該製造元会社と、前記会社物品関連情報記憶手段に記憶されている前記会社識別情報および前記物品識別情報に基づいて、前記店舗情報記憶手段から、前記製造元会社に関連する物品を扱う店舗の情報を取得する会社判定手段と、
前記会社判定手段が取得した前記店舗の情報を表示する表示手段を備える店舗情報表示システム。
【請求項４】
前記会社を判定するための画像データは、その会社が使用する商標の画像データである請求項２または３の店舗情報表示システム。
【請求項５】
前記会社判定手段は、前記画像取得手段が取得した画像データと前記会社を判定するための画像データが類似すると判定したとき、前記取得した画像データに含まれる物品に関連する製造元会社は、類似するとされた前記会社を判定するための画像データに関連付けられた会社識別情報で識別される会社であると判定する、請求項２または３の店舗情報表示システム。
【請求項６】
前記真贋判定手段は、前記画像取得手段が取得した画像データと前記物品情報記憶手段の画像データの類似度を計算し、類似度が第一の閾値より大きく、かつ、第一の閾値より大きい第二の閾値より小さいとき、取得した画像データに含まれる物品は、模倣品であると判定する請求項１または３の店舗情報表システム。
【請求項７】
前記店舗の情報は、店舗の名称、店舗の場所、店舗の連絡先のいずれか一つを含む請求項１乃至６のいずれか一つに記載の店舗情報表示システム。
【請求項８】
位置取得手段を備え、前記位置取得手段は、画像データを取得した位置を表す位置情報を取得し、前記店舗情報記憶手段は店舗の場所を含み、前記表示手段は、前記位置情報と前記店舗の場所に基づいて店舗の情報を表示する請求項１乃至７のいずれか一つに記載の店舗情報表示システム。
【請求項９】
前記表示手段は、前記位置情報が示す位置の近傍と判定された場所にある店舗の情報を表示する請求項８の店舗情報表示システム。
【請求項１０】
物品識別情報と物品を含む画像データとを関連付けて記憶する物品情報記憶手段と、
前記物品識別情報と物品の真正品または模倣品を扱う店舗の情報とを関連付けて記憶する店舗情報記憶手段と、
外部から取得した物品の一部または全部を含む画像データと、前記物品情報記憶手段の画像データとに基づいて、取得した画像データに含まれる物品が真正品または模倣品であることを判定し、該判定の結果に基づいて、前記店舗情報記憶手段から物品に関連する前記店舗の情報を取得し、取得した前記店舗の情報を出力する真贋判定手段と、
を備える装置。
【請求項１１】
前記真贋判定手段が取得した前記店舗の情報を表示する表示手段を更に備える請求項１０に記載の装置。
【請求項１２】
物品の一部または全部を含む画像データを取得し、
物品識別情報と物品を含む画像データとを関連付けて記憶し、
前記物品識別情報と物品の真正品または模倣品を扱う店舗の情報とを関連付けて記憶し、
前記物品の一部または全部を含む画像データと前記物品識別情報と物品を含む画像データとに基づいて、取得した画像データに含まれる物品が真正品または模倣品であることを判定し、該判定の結果に基づいて、物品に関連する前記店舗の情報を取得し、
前記取得した前記店舗の情報を表示する店舗情報表示方法。
【請求項１３】
コンピュータに、
物品の一部または全部を含む画像データを取得する画像取得処理と、
物品識別情報と物品とを含む画像データを関連付けて記憶する物品情報記憶処理と、
前記物品識別情報と物品の真正品または模倣品を扱う店舗の情報とを関連付けて記憶する店舗情報記憶処理と、
物品の一部または全部を含む画像データと、物品識別情報と物品とを含む画像データとに基づいて、取得した画像データに含まれる物品が真正品または模倣品であることを判定し、該判定の結果に基づいて、物品に関連する前記店舗の情報を取得する真贋判定処理と、
前記真贋判定処理で取得した前記店舗の情報を表示する表示処理とを実行させるコンピュータで読み取り可能な記録媒体。
【発明の詳細な説明】
【技術分野】
【０００１】
本発明は、物品を扱う店舗情報を表示するシステム、装置、方法及び記録媒体に関する。
【背景技術】
【０００２】
模倣品は、その物品の真正品を扱う権利者のブランドイメージを傷つけ、権利者の正当な利益を奪うのみならず、消費者の健康または安全を害する恐れがある。一方、模倣の高度化、巧妙化により、そのような模倣品による被害の実態把握は困難である。そのため、権利者である企業や、消費者、さらに、模倣品を取り締まる組織等に対し、真正品または模倣品に関する情報を表示する情報処理システムの提供が望まれる。特に、店舗にある物品の真贋が解らない消費者に対し、その物品を扱う店舗に関する情報を表示する情報処理システムが望まれる。【０００３】
例えば、特許文献１の技術は、照合対象の生産物における部品の画像特徴に基づいて、照合対象の生産物を照合する技術的処理を開示している。
【先行技術文献】
【特許文献】
【０００４】
【特許文献１】国際公開第２０１３／１９１２８１号
【発明の概要】
【発明が解決しようとする課題】
【０００５】
しかしながら、特許文献１に記載の技術は、物品の真正品または模倣品を扱う店舗の情報を端末等に表示する処理ができなかった。【０００６】
そこで、本発明の目的は、物品の真正品・模倣品扱う店舗の情報を表示する情報処理システムを提供することにある。
【課題を解決するための手段】
【０００７】
本発明の一形態に係る店舗情報表示システムは、物品の一部または全部を含む画像データを取得する画像取得手段と、物品識別情報と物品を含む画像データとを関連付けて記憶する物品情報記憶手段と、物品識別情報と物品の真正品または模倣品を扱う店舗の情報とを関連付けて記憶する店舗情報記憶手段と、画像取得手段が取得した画像データと物品情報記憶手段の画像データとに基づいて、取得した画像データに含まれる物品が真正品または模倣品であることを判定し、該判定の結果に基づいて記店舗情報記憶手段から物品に関連する前記店舗の情報を取得する真贋判定手段と、真贋判定手段が取得した店舗の情報を表示する表示手段を備える。【０００８】
本発明の一形態に係る装置は、物品識別情報と物品を含む画像データとを関連付けて記憶する物品情報記憶手段と、前記物品識別情報と物品の真正品または模倣品を扱う店舗の情報とを関連付けて記憶する店舗情報記憶手段と、外部から取得した、物品の一部又は全部を含む画像データと、前記物品情報記憶手段の画像データとに基づいて、取得した画像データに含まれる物品が真正品または模倣品であることを判定し、該判定の結果に基づいて、前記店舗情報記憶手段から物品に関連する前記店舗の情報を取得する真贋判定手段と、前記真贋判定手段が取得した前記店舗の情報を表示する表示手段とを備える。【０００９】
本発明の一形態に係る店舗情報表示方法は、物品の一部または全部を含む画像データを取得し、物品識別情報と物品を含む画像データとを関連付けて記憶し、前記物品識別情報と物品の真正品または模倣品を扱う店舗の情報とを関連付けて記憶し、前記物品の一部または全部を含む画像データと前記物品識別情報と物品を含む画像データとに基づいて、取得した画像データに含まれる物品が真正品または模倣品であることを判定し、該判定の結果に基づいて、物品に関連する前記店舗の情報を取得し、前記取得した前記店舗の情報を表示する。【００１０】
本発明の一形態に係るコンピュータで読み取り可能な記録媒体は、コンピュータに、物品の一部または全部を含む画像データを取得する画像取得処理と、物品識別情報と物品とを含む画像データを関連付けて記憶する物品情報記憶処理と、前記物品識別情報と物品の真正品または模倣品を扱う店舗の情報とを関連付けて記憶する店舗情報記憶処理と、物品の一部または全部を含む画像データと、物品識別情報と物品とを含む画像データとに基づいて、取得した画像データに含まれる物品が真正品または模倣品であることを判定し、該判定の結果に基づいて、物品に関連する前記店舗の情報を取得する真贋判定処理と、前記真贋判定処理で取得した前記店舗の情報を表示する表示処理とを実行させる。
【発明の効果】
【００１１】
本発明によれば、物品の真正品または模倣品を扱う店舗の情報を表示するという技術的効果を得ることができる。
【図面の簡単な説明】
【００１２】
【図１】第一実施形態に係る店舗情報表示システムの構成を示すブロック図である。
【図２】第一実施形態に係る店舗情報表示システムの動作の一例を示すフローチャートである。
【図３】第三実施形態に係る店舗情報表示システムの構成を示すブロック図である。
【図４】第三実施形態に係る店舗情報表示システムの動作の一例を示すフローチャートである。
【図５】第四実施形態に係る店舗情報表示システムの構成を示すブロック図である。
【図６】第四実施形態に係る店舗情報表示システムの動作の一例を示すフローチャートである。
【図７】第五実施形態に係る店舗情報表示システムの構成を示すブロック図である。
【図８】第六実施形態に係る店舗情報表示システムの構成を示すブロック図である。
【図９】第七実施形態に係る判定装置の構成を示すブロック図である。
【図１０】第八実施形態に係る判定装置の構成を示すブロック図である。
【図１１】第九実施形態に係る店舗情報表示システムの構成を示すブロック図である。
【図１２】各実施形態を実現するコンピュータ装置のハードウェア構成の一例を示すブロック図である。
【発明を実施するための形態】
【００１３】
以下に、図面を参照して、本発明の実施の形態に係る店舗情報表示システム１００について詳しく説明する。ただし、以下の実施の形態に記載されている構成要素は例示であり、本発明の技術範囲をそれらに限定する趣旨のものではない。なお、本発明における「画像」とは静止画及び動画を含むが、以下の実施形態では、画像の一例として静止画を用いて説明する。
（第一実施形態）
（第一実施形態の構成）
第一実施形態に係る店舗情報表示システム１００の構成例について説明する。図１は第一実施形態の構成例を示すブロック図である。
【００１４】
店舗情報表示システム１００は、取得表示装置２００、判定装置３００を含む。各装置間の情報の送受信は、通信ネットワークを介して行われる。通信は無線でも有線でも良い。なお、図に示す各構成要素は、機能単位のブロックを示している。
【００１５】
取得表示装置２００は、画像取得部２０と、表示部２１とを含む。画像取得部２０は、例えば不図示のカメラ等から物品の一部または全部を含む画像データを取得する。
【００１６】
表示部２１は、店舗に関する情報を表示する。この店舗に関する情報は、例えばネットワークを介して取得される。
【００１７】
判定装置３００は、真贋判定部３０と、店舗情報記憶部３６と、物品情報記憶部３７とを含む。真贋判定部３０は、画像取得部２０が取得した画像データと、物品情報記憶部３７の画像データとに基づいて、取得した画像データに含まれる物品が真正品または模倣品であることを判定する。そして、真贋判定部３０は、真贋判定の結果に基づいて、店舗情報記憶部３６から、物品の真正品または模倣品を扱う店舗の情報を取得する。店舗情報記憶部３６は、物品の識別情報と、その物品の真正品または模倣品を扱う店舗の情報と、を関連付けて記憶する。物品の識別情報には、その物品を表すＩＤ（Ｉｄｅｎｔｉｆｉｃａｔｉｏｎ）番号や文字列を用いることができる。また、物品の真正品または模倣品を扱うとは、その物品の真正品または模倣品を生産、販売、譲渡、貸渡し、輸出若しくは輸入、または譲渡若しくは貸渡しの申出（展示を含む）をすることをいう。また、店舗とは、小売店舗や卸売店、またネット販売業者等による仮想上の店舗であってもよい。物品情報記憶部３７は、物品識別情報と、物品の画像データとを関連付けて記憶する。物品情報記憶部３７の物品識別情報は、店舗情報記憶部３６の物品識別情報と同様に、物品を表すＩＤ番号や文字列を用いることができる。
【００１８】
これにより、第一実施形態に係る店舗情報表示システム１００は、画像取得部２０が取得した画像データに含まれる物品について、その物品の真正品または模倣品を扱う店舗情報を表示することができる。そのため、本システムのユーザは、真正品または模倣品についての関連する情報を知ることができる。
（第一実施形態の動作）
図２は、第一実施形態に係る店舗情報表示システム１００の動作を示すフローチャートである。まず、取得表示装置２００内の画像取得部２０は、例えば不図示のカメラ等から物品を含む画像データを取得する（Ｓ２１）。取得される画像データは、物品の一部であっても良いし、物品の全部であってもよい。また、画像データはＧＩＦ（Ｇｒａｐｈｉｃｓ  Ｉｎｔｅｒｃｈａｎｇｅ  Ｆｏｒｍａｔ）等の画像フォーマット形式であっても良いし、画像から何らかの特徴量を抽出したデータであっても良い。取得された画像データは、画像取得部２０を有する取得表示装置２００で処理されても良いし、ネットワークを介して送受信されても良い。本実施形態においては、取得された画像データは、判定装置３００で処理される。例として、画像取得部２０は、物品をタブレットとする画像データを取得したとする。
【００１９】
次に、真贋判定部３０は、取得した画像データと、物品情報記憶部３７が記憶する画像データと、に基づいて、取得した画像データに含まれる物品が、真正品または模倣品であると判定する（Ｓ２２）。この取得した画像データと、物品情報記憶部３７が記憶する画像データとに基づく真正品または模倣品の判定は、画像を比較する種々のアルゴリズムにより行うことができる。例えば、物品情報記憶部３７は、物品識別情報として、物品ＩＤには１、その物品の画像データとして真正品であるタブレットの画像データを、記憶している。この場合、真贋判定部３０は、画像取得部２０が取得した画像データと比較して、物品ＩＤは１であり、取得した画像データの物品がタブレットの真正品または模倣品と判定できる。そして、真贋判定部３０は、その判定結果に基づいて、店舗情報記憶部３６から物品に関する店舗の情報を取得する。この店舗の情報は、判定装置３００から、取得表示装置２００に送信される。
【００２０】
次に、表示部２１は、判定装置３００の真贋判定部３０が取得した物品に関する店舗の情報を表示する（Ｓ２３）。例えば、店舗情報記憶部３６は、物品ＩＤが１の物品（タブレット）を扱う店舗の情報を記憶している。真贋判定部３０は、真贋判定の結果に基づいて、取得した画像データに含まれる物品が真正品または模倣品であったときに、そのそれぞれの場合について、タブレットの真正品を扱う店舗の情報や、タブレットの模倣品を扱う店舗の情報を店舗情報記憶部３６から取得する。そして表示部２１が、真贋判定部３０が取得した店舗の情報を表示する。これにより、ユーザは、物品（タブレット）に関する真正品を扱う店舗または模倣品を扱う店舗の情報を知ることができ、購入などの参考にできる。
（第二実施形態）
（第二実施形態の構成）
第二実施形態に係る店舗情報表示システム１００の構成は、第一実施形態に係る店舗情報表示システム１００の構成と同様である。
（第二実施形態の動作）
第二実施形態に係る店舗情報表示システム１００において、真贋判定部３０が画像データを比較した真贋判定は、既存の様々な画像の類否判断のアルゴリズムを適用できる。例えば、真贋判定部３０の判定は、物品情報記憶部３７に物品の真正品が含む商標などの画像や画像特徴量を記憶し、取得した画像データに含まれる商標と比較して判定しても良いし、物品の画像データを比較しても良い。さらに、真贋判定部３０が行う真贋判定は、物体指紋技術を用いて、物品情報記憶部３７に真正品である複数の物品を含む画像データを記憶し、その画像データと取得した画像データを比較しても良い。類否判断は、画像データの類似度を計算し、所定の閾値より大きいか、小さいかで真贋を判定しても良い。例えば、模倣品である物品やその物品に付される商標は、ある程度真正品である物品やその物品に付される商標と似つつも、完全には同一でない場合が多い。また、人間の感覚では同一の物品、商標に見える場合でも、既知の物体指紋技術を用いることで、類似した模倣品か、真正品かを判定することができる。そこで、真贋判定部３０は、画像取得部２０が取得した画像データと前記物品情報記憶部３７の画像データとの類似度を計算し、類似度が第一の閾値より大きく、かつ、第一の閾値より大きい第二の閾値より小さいとき、取得した画像データに含まれる物品が、模倣品であると判定しても良い。この場合、類似度が第二の閾値より大きい場合は、取得した画像データに含まれる物品は真正品であると判定することができる。
【００２１】
店舗情報記憶部３６が記憶する店舗の情報は、店舗に関する情報を記憶できる。例えば店舗情報記憶部３６は、店舗の名称と、店舗の場所と、店舗の連絡先（電話番号、メールアドレス、特定サイトへのＵＲＬ（Ｕｎｉｆｏｒｍ  Ｒｅｓｏｕｒｃｅ  Ｌｏｃａｔｏｒ）、特定の検索文字列）との情報を記憶できる。これにより、表示を見た本システムのユーザは、物品がタブレットの場合、物品（タブレット）に関する真正品を扱う店舗または模倣品を扱う店舗の詳しい情報を知ることができる。
（第三実施形態）
（第三実施形態の構成）
図３は第三実施形態に係る店舗情報表示システム１００の構成例を示すブロック図である。取得表示装置２００は、画像取得部２０と、表示部２１とを含む。画像取得部２０は、例えば不図示のカメラ等から物品の一部または全部を含む画像データを取得する。表示部２１は、店舗に関する情報を表示する。この店舗に関する情報は、例えばネットワークを介して取得される。本実施形態において、表示部２１は、会社判定部３１が判定した製造元会社に関連する店舗の情報を表示する。
判定装置３００は、会社判定部３１と、店舗情報記憶部３６と、会社情報記憶部３８とを含む。会社判定部３１は、画像取得部２０が取得した画像データと、会社を判定するための画像データとに基づいて、取得した画像データに含まれる物品に関連する製造元会社を判定する。そして、会社判定部３１は、判定した製造元会社に関連する店舗の情報を、店舗情報記憶部３６から取得する。店舗情報記憶部３６は、会社識別情報と、その会社の真正品または模倣品を扱う店舗の情報と、を関連付けて記憶する。会社情報記憶部３８は、会社識別情報と会社を判定するための画像データとを記憶する。会社を判定するための画像データは、例えば商標を含む画像データでもよい。
（第三実施形態の動作）
図４は、第三実施形態に係る店舗情報表示システム１００の動作を示すフローチャートである。まず、Ｓ４１のステップは、第一実施形態におけるＳ２１と同様である。会社判定部３１は、取得した画像データと、会社情報記憶部３８が記憶する会社を判定するための画像データと、に基づいて、取得した画像データに含まれる物品に関連する製造元会社を判定する（Ｓ４２）。この際、会社判定部３１は、会社判定に用いた画像データの会社識別情報も特定できる。例えば、会社情報記憶部３８は、会社識別情報として、会社ＩＤには１を、物品の画像データとして会社ＩＤが１の会社が製造元である、真正品としてタブレットの画像データを記憶している。この場合、会社判定部３１は、画像取得部２０が取得した画像データと比較して、会社ＩＤは１、取得した画像データに含まれる物品は、会社ＩＤが１の会社に関連する物品であると判定できる。この際、取得した画像データに含まれる物品は、会社ＩＤ１の会社の真正品か、会社ＩＤ１の会社の模倣品である。そして、会社判定部３１は、ステップＳ４２で判定した製造元会社に基づいて、店舗情報記憶部３６から、該会社に関連する店舗の情報を取得する。この店舗の情報は、判定装置３００から、画像表示装置２００に送信される。
【００２２】
次に、表示部２１は、判定装置３００の会社判定部３１が取得した店舗の情報を表示する（Ｓ４３）。例えば、表示部２１は、会社ＩＤが１の会社の物品の真正品を扱う店舗や、会社ＩＤが１の会社の物品の模倣品を扱う店舗の情報を表示することができる。店舗情報記憶部３６が、店舗の名称と、店舗の場所と、店舗の連絡先（電話番号、メールアドレス、特定サイトへのＵＲＬ、特定の検索文字列）との情報を記憶している場合、表示部２１は、これらの店舗の情報を表示できる。
（第四実施形態）
（第四実施形態の構成）
図５は第四実施形態に係る店舗情報表示システム１００の構成例を示すブロック図である。店舗情報表示システム１００は、取得表示装置２００と、判定装置３００とを含む。各装置間の情報の送受信は、通信ネットワークを介して行われる。通信は無線でも有線でも良い。なお、図に示す各構成要素は、機能単位のブロックを示している。
【００２３】
取得表示装置２００は、画像取得部２０と、表示部２１とを含む。画像取得部２０は、例えば不図示のカメラ等から物品の一部または全部を含む画像データを取得する。表示部２１は、店舗に関する情報を表示する。この店舗に関する情報は、例えばネットワークを介して取得される。
【００２４】
判定装置３００は、真贋判定部３０と、会社判定部３１と、店舗情報記憶部３６と、物品情報記憶部３７と、会社情報記憶部３８と、会社物品関連情報記憶部３９とを含む。真贋判定部３０は、画像取得部２０が取得した物品の画像データと、物品情報記憶部３７の画像データとに基づいて、取得した画像データに含まれる物品が真正品またまたは模倣品であることを判定する。会社判定部３１は、画像取得部２０が取得した画像データと会社を判定するための画像データとに基づいて、取得した画像データに含まれる物品に関連する製造元会社を判定する。店舗情報記憶部３６は、物品の識別情報と、その物品の真正品または模倣品を扱う店舗の情報と、を関連付けて記憶する。物品の識別情報には、その物品を表すＩＤ番号や文字列を用いることができる。また、物品の真正品または模倣品を扱うとは、その物品の真正品または模倣品の生産、販売、譲渡、貸渡し、輸出若しくは輸入、または譲渡若しくは貸渡しの申出（展示を含む）をすることをいう。また、店舗とは、小売店舗や卸売店、またネット販売業者等による仮想上の店舗であってもよい。物品情報記憶部３７は、物品識別情報と、物品の画像データとを関連付けて記憶する。物品情報記憶部３７の物品識別情報は、店舗情報記憶部３６の物品識別情報と同様に、物品を表すＩＤ番号や文字列を用いることができる。会社情報記憶部３８は、会社識別情報と会社を判定するための画像データとを記憶する。会社物品関連情報記憶部３９は、会社識別情報と物品識別情報とを関連付けて記憶する。例えば、会社物品関連情報記憶部３９は、ある会社識別情報に関連付けて複数の物品識別情報を記憶する。
（第四実施形態の動作）
図６は、第四実施形態に係る店舗情報表示システム１００の動作を示すフローチャートである。まず、Ｓ６１のステップは第一実施形態におけるＳ２１と同様である。例として、画像取得部２０は、物品をタブレットとする画像データを取得したとする。
【００２５】
次に、真贋判定部３０は、取得した画像データと、物品情報記憶部３７が記憶する画像データと、に基づいて、取得した画像データに含まれる物品が、真正品または模倣品であると判定する（Ｓ６２）。この際、真贋判定部３０は、真贋判定に用いた画像データの物品識別情報も特定できる。例えば、物品情報記憶部３７は、物品識別情報として、物品ＩＤに１を、物品の画像データとして、Ａ社が製造元である真正品のタブレットの画像データを、記憶している。この場合、真贋判定部３０は、画像取得部２０が取得した画像データと比較して、物品ＩＤは１、取得した画像データの物品がタブレットの模倣品と判定できる。
【００２６】
会社判定部３１は、取得した画像データと、会社情報記憶部３８が記憶する会社を判定するための画像データと、に基づいて、取得した画像データに含まれる物品に関連する製造元会社を判定する（Ｓ６３）。このステップは、Ｓ６２と順番が前後してもよい。例えば、取得した画像データがＡ社が製造元のタブレットと外見が同一または類似し、または、Ａ社の商標と同一または類似の商標を含んでいたとする。そして、会社情報記憶部３８が、会社ＩＤ１、会社を判定するための画像データとして製造元Ａ社のタブレットまたはＡ社の商標の、画像データを記憶していたとする。この場合、画像データの類似度等を用いて、会社判定部３１は、取得した画像データに含まれる物品に関連する製造元会社をＡ社、会社ＩＤ１と判定する。
【００２７】
表示部２１は、会社判定部３１が判定した製造元会社に関連する物品を扱う店舗の情報を表示する（Ｓ６４）。例として、会社物品関連情報記憶部３９が会社ＩＤ１（Ａ社）と物品ＩＤ１（Ａ社タブレット）及び会社ＩＤ１（Ａ社）と物品ＩＤ２（Ａ社カメラ）とをそれぞれ関連付けて記憶しているとする。この場合、会社判定部３１は、会社判定部３１が判定したＡ社（会社ＩＤ１）に関連する物品である物品ＩＤ１（Ａ社タブレット）及び物品ＩＤ２（Ａ社カメラ）に基づいて、店舗情報記憶部３６から、その物品の真正品または模倣品を扱う店舗の情報を取得する。そして、表示部２１は、会社判定部３１が取得した店舗の情報を表示する。これにより、ユーザは、取得した物品以外の物品を扱う店舗の情報を知ることができる。
（第五実施形態）
図７は、第五実施形態に係る店舗情報表示システム１００の構成を示すブロック図である。第五の実施形態として、取得表示装置２００は、さらに位置取得部２２を有する。位置取得部２２は、画像取得部２０が物品を含む画像データを取得する位置を表すための位置情報を取得する。この位置情報は、緯度・経度情報、二次元空間におけるＸＹ座標、三次元空間におけるＸＹＺ座標、地図上の位置点、駅名、建物名、通りの名前、地域名、観光名所名、住所の一部または全部等の様々な位置を表す形式で表現できる。この位置情報は、取得表示装置２００が用いてもよいし、ネットワークを介して送受信されてもよい。
【００２８】
第五実施形態において、店舗情報記憶部３６は物品の識別情報と、その物品の真正品または模倣品を扱う店舗の情報と、を関連付けて記憶し、さらに店舗の場所を記憶する。真贋判定部３０は、物品を含む画像データを取得した位置情報と、店舗の場所に基づいて、店舗情報記憶部３６から選択された店舗の情報を取得する。そして、表示部２１は、真贋判定部３０が取得した店舗の情報を表示する。例えば、表示部２１は、画像データを取得した位置の周辺に複数の店舗の場所がある場合、周辺の店舗の情報として、これら複数の店舗の情報を表示する。ここで、周辺の店舗とは、取得した位置情報から所定の距離にある店舗としても良いし、取得した位置情報に基づいて定める所定の範囲にある店舗としても良い。または、真贋判定部３０が、店舗情報記憶部３６の店舗の場所の情報に基づいて、取得した位置から相対的に近距離にある一つまたは複数の店舗を選択する。この選択された店舗が、周辺の店舗でも良い。これにより、ユーザは、画像データを取得した位置に基づいて、その周辺にある店舗の情報を知ることができる。
（第六実施形態）
図８は、第六実施形態に係る店舗情報表示システム１００の構成を示すブロック図である。図８に示す店舗情報表示システム１００は、第一実施形態に係る店舗情報表示システム１００と比較すると、判定装置３００が表示部２１を備える点が異なる。判定装置３００が表示部２１を備えることで、真贋判定部３０はネットワークを介さずに店舗の情報を表示部２１に送信できる。その他の構成および動作は第一実施形態に係る店舗情報表示システム１００と同じである。
（第七実施形態）
図９は、第七実施形態に係る判定装置３００の構成を示すブロック図である。図９に示す判定装置３００は、真贋判定部３０と、店舗情報記憶部３６と、物品情報記憶部３７とを含む。真贋判定部３０は、外部から取得した画像データと、物品情報記憶部３７の画像データとに基づいて、取得した画像データに含まれる物品が真正品または模倣品であることを判定する。そして、真贋判定部３０は、真贋判定の結果に基づいて、店舗情報記憶部３６から、物品の真正品または模倣品を扱う店舗の情報を取得し、取得した店舗の情報を出力する。店舗情報記憶部３６は、物品の識別情報と、その物品の真正品または模倣品を扱う店舗の情報と、を関連付けて記憶する。
【００２９】
これにより、判定装置３００は、取得した画像データに含まれる物品に関連する店舗の情報を出力することができる。
（第八実施形態）
図１０は、第八実施形態に係る判定装置３００の構成を示すブロック図である。図１０に示す判定装置３００は、第七実施形態に係る判定装置３００と比較すると、判定装置３００が更に真贋判定部３０が出力する店舗の情報を表示する表示部２１を備える点が異なる。これにより、判定装置３００は、取得した画像データに含まれる物品に関連する店舗の情報を表示することができる。その他の構成および動作は第七実施形態に係る判定装置３００と同じである。
（第九実施形態）
図１１は、第九実施形態に係る店舗情報表示システム１００の構成を示すブロック図である。図１１において、店舗情報表示システム１００は、画像取得部２０と、表示部２１と、真贋判定部３０と、店舗情報記憶部３６と、物品情報記憶部３７とを備えている。
【００３０】
画像取得部２０は、物品の一部または全部を含む画像データを取得する。物品情報記憶部３７は、物品識別情報と物品を含む画像データとを関連付けて記憶する。店舗情報記憶部３６は、該物品識別情報と物品の真正品または模倣品を扱う店舗の情報とを関連付けて記憶する。真贋判定部３０は、画像取得部２０が取得した画像データと物品情報記憶部３７の画像データとに基づいて、取得した画像データに含まれる物品が真正品または模倣品であることを判定する。さらに真贋判定部３０は、該判定の結果に基づいて、店舗情報記憶部３６から物品に関連する店舗の情報を取得する。
そして、表示部２１は、真贋判定部３０が取得した物品に関連する店舗の情報を表示する。
【００３１】
これにより、第九実施形態に係る店舗情報表示システム１００は、画像取得部２０が取得した画像データに含まれる画像で取得した物品について、その物品の真正品または模倣品を扱う店舗情報を表示することができる。そのため、本システムのユーザは、真正品または模倣品についての関連する情報を知ることができる。
【００３２】
なお、本実施形態に係る店舗情報システム１００は、単体の情報処理装置によって実現されてもよい。
【００３３】
なお、上述した各実施形態における各構成要素は、クラウドコンピューティングによって実現されても良い。例えば、店舗情報記憶部３６、物品情報記憶部３７、会社情報記憶部３８、会社物品関連情報記憶部３９はクラウドサーバによって実現されても良い。また、その他の構成要素もクラウドサーバによって実現されても良い。
【００３４】
図１２は、本発明の各実施形態に係る店舗情報表示システム１００のハードウェア構成の一例を示すブロック図である。
【００３５】
店舗情報表示システム１００は、ＣＰＵ（Ｃｅｎｔｒａｌ  Ｐｒｏｃｅｓｓｉｎｇ  Ｕｎｉｔ）９１と、ＲＯＭ（Ｒｅａｄ  Ｏｎｌｙ  Ｍｅｍｏｒｙ）９２と、ネットワークインタフェース９３と、ＲＡＭ（Ｒａｎｄｏｍ  Ａｃｃｅｓｓ  Ｍｅｍｏｒｙ）９４と、記憶装置９５と、入力装置９６と、出力装置９７によって構成可能である。入力装置２６は、例えば、マウス、キーボードなどで実現される。出力装置９６は、例えばディスプレイで実現される。
【００３６】
画像取得部２０は、例えば、ネットワークインタフェース９３と、ＲＯＭ９２及び記憶装置９５に記憶されたコンピュータプログラムをＲＡＭ９４に書き込み、書き込まれたコンピュータプログラムを実行するＣＰＵ９１と、入力装置９６とによって構成される。
【００３７】
表示部２１は、例えば、出力装置９７によって構成される。また、表示部２１が、例えばタッチパネルのように入力を受け付ける機能を有する場合、表示部２１は、入力装置９６と、出力装置９７とによって構成されてもよい。
【００３８】
真贋判定部３０と、会社判定部３１とは、例えば、ＲＯＭ９２及び記憶装置９５に記憶されたコンピュータプログラムをＲＡＭ９４に書き込み、書き込まれたコンピュータプログラムを実行するＣＰＵ９１によって構成される。
【００３９】
店舗情報記憶部３６と、物品情報記憶部３７と、会社情報記憶部３８と、会社物品関連情報記憶部３９とは、例えば、記憶装置９５によって構成される。
【００４０】
なお、取得表示装置３００と、判定装置２００とはそれぞれが別個のハードウェア構成によって実現されてもよい。
【００４１】
上述した各実施形態は本発明を具体化した一例に過ぎず、請求の範囲に記載された本発明の趣旨の範囲内であれば、種々変更することができるものである。
（付記１）
物品の一部または全部の画像データを取得する画像取得部と、
物品識別情報と物品の画像データを関連付けて記憶する物品情報記憶部と、
前記物品識別情報と物品の真正品または模倣品を扱う店舗の情報とを関連付けて記憶する店舗情報記憶部と、
前記画像取得部が取得した画像データと前記物品情報記憶部の画像データとに基づいて、取得した画像の物品が真正品または模倣品であることを判定し、該判定の結果に基づいて、前記店舗情報記憶部から物品に関連する前記店舗の情報を取得する真贋判定部と、
前記真贋判定部が取得した前記店舗の情報を表示する表示部を備える店舗情報表示システム。
（付記２）
物品の一部または全部の画像データを取得する画像取得部と、
会社識別情報と会社を判定するための画像データとを関連付けて記憶する会社情報記憶部と、
前記会社識別情報と、物品の真正品または模倣品を扱う店舗の情報と、を関連付けて記憶する店舗情報記憶部と、
前記画像取得部が取得した画像データと前記会社を判定するための画像データとに基づいて、前記取得した画像における物品に関連する製造元会社を判定し、該判定した製造元会社に基づいて、前記店舗情報記憶部から、当該会社に関連する前記店舗の情報を取得する会社判定部と、
前記会社判定部が取得した前記店舗の情報を表示する表示部を備える店舗情報表示システム。
（付記３）
物品の一部または全部の画像データを取得する画像取得部と、
会社識別情報と会社を判定するための画像データとを関連付けて記憶する会社情報記憶部と、
物品識別情報と物品の画像データを関連付けて記憶する物品情報記憶部と、
前記会社識別情報と前記物品識別情報とを関連付けて記憶する会社物品関連情報記憶部と、
前記物品識別情報と物品の真正品または模倣品を扱う店舗の情報とを関連付けて記憶する店舗情報記憶部と、
前記画像取得部が取得した画像データと前記物品情報記憶部の画像データとに基づいて、取得した画像の物品が真正品または模倣品であることを判定する真贋判定部と、
前記画像取得部が取得した画像データと前記会社を判定するための画像データとに基づいて、前記取得した画像における物品に関連する製造元会社を判定し、前記真贋判定部の判定の結果と、該製造元会社と、前記会社物品関連情報記憶手段に記憶されている前記会社識別情報および前記物品識別情報に基づいて、前記店舗情報記憶部から、前記製造元会社に関連する物品を扱う店舗の情報を取得する会社判定部と、
前記会社判定部が取得した前記店舗の情報を表示する表示部を備える店舗情報表示システム。
（付記４）
前記会社を判定するための画像データは、その会社が使用する商標の画像データである請求項２または３の店舗情報表示システム。
（付記５）
前記会社判定部は、前記画像取得部が取得した画像データと前記会社を判定するための画像データが類似すると判定したとき、前記取得した画像における物品に関連する製造元会社は、類似するとされた前記会社を判定するための画像データに関連付けられた会社識別情報で識別される会社であると判定する、請求項２または３の店舗情報表示システム。
（付記６）
前記真贋判定部は、前記画像取得部が取得した画像データと前記物品情報記憶部の画像データの類似度を計算し、類似度が第一の閾値より大きく、かつ、第一の閾値より大きい第二の閾値より小さいとき、取得した画像に含まれる物品は、模倣品であると判定する請求項１または３の店舗情報表システム。
（付記７）
前記店舗の情報は、店舗の名称、店舗の場所、店舗の連絡先のいずれか一つを含む請求項１乃至６のいずれか一つに記載の店舗情報表示システム。
（付記８）
位置取得部を備え、前記位置取得部は、画像を取得した位置を表す位置情報を取得し、前記店舗情報記憶部は店舗の場所を含み、前記表示部は、前記位置情報と前記店舗の場所に基づいて店舗の情報を表示する請求項１乃至７のいずれか一つに記載の店舗情報表示システム。
（付記９）
前記表示部は、前記位置情報が示す位置の近傍と判定された場所にある店舗の情報を表示する請求項８の店舗情報表示システム。
（付記１０）
物品識別情報と物品を含む画像データを関連付けて記憶する物品情報記憶部と、
前記物品識別情報と物品の真正品または模倣品を扱う店舗の情報とを関連付けて記憶する店舗情報記憶部と、
外部から取得した物品の一部または全部を含む画像データと前記物品情報記憶部の画像データとに基づいて、取得した画像に含まれる物品が真正品または模倣品であることを判定し、該判定の結果に基づいて、前記店舗情報記憶部から物品に関連する前記店舗の情報を取得し、取得した前記店舗の情報を出力する真贋判定部と、
を備える装置。
（付記１１）
物品の一部または全部を含む画像データを取得し、
物品識別情報と物品を含む画像データを関連付けて記憶し、
前記物品識別情報と物品の真正品または模倣品を扱う店舗の情報とを関連付けて記憶し、
前記画像取得部が取得した画像データと前記物品情報記憶部の画像データとに基づいて、取得した画像の物品が真正品または模倣品であることを判定し、該判定の結果に基づいて、物品に関連する前記店舗の情報を取得し、
前記取得した前記店舗の情報を表示する店舗情報表示方法。
（付記１２）
コンピュータに、
物品の一部または全部を含む画像データを取得する画像取得処理と、
物品識別情報と物品を含む画像データを関連付けて記憶する物品情報記憶処理と、
前記物品識別情報と物品の真正品または模倣品を扱う店舗の情報とを関連付けて記憶する店舗情報記憶処理と、
前記画像取得部が取得した画像データと前記物品情報記憶部の画像データとに基づいて、取得した画像の物品が真正品または模倣品であることを判定し、該判定の結果に基づいて、物品に関連する前記店舗の情報を取得する真贋判定処理と、
前記真贋判定処理で取得した前記店舗の情報を表示する表示処理を実行させる店舗情報表示プログラム。
【００４２】
この出願は、２０１５年３月３１日に出願された日本出願特願２０１５−０７０５０７を基礎とする優先権を主張し、その開示の全てをここに取り込む。
【符号の説明】
【００４３】
２０    画像取得部
２１    表示部
２２    位置取得部
３０    真贋判定部
３１    会社判定部
３６    店舗情報記憶部
３７    物品情報記憶部
３８    会社情報記憶部
３９    会社物品関連情報記憶部
９１    ＣＰＵ
９２    ＲＯＭ
９３    ネットワークインタフェース
９４    ＲＡＭ
９５    記憶装置
９６    入力装置
９７    出力装置
１００    店舗情報表示システム
２００    取得表示装置
３００    判定装置
【図１】
2016157835.tif 000003
【図２】
2016157835.tif 000004
【図３】
2016157835.tif 000005
【図４】
2016157835.tif 000006
【図５】
2016157835.tif 000007
【図６】
2016157835.tif 000008
【図７】
2016157835.tif 000009
【図８】
2016157835.tif 000010
【図９】
2016157835.tif 000011
【図１０】
2016157835.tif 000012
【図１１】
2016157835.tif 000013
【図１２】
2016157835.tif 000014
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
物品の一部または全部を含む画像データを取得する画像取得手段と、
物品識別情報と物品を含む画像データとを関連付けて記憶する物品情報記憶手段と、
前記物品識別情報と物品の真正品または模倣品を扱う店舗の情報とを関連付けて記憶する店舗情報記憶手段と、
前記画像取得手段が取得した画像データと前記物品情報記憶手段の画像データとに基づいて、取得した画像データに含まれる物品が真正品または模倣品であることを判定し、該判定の結果に基づいて、前記店舗情報記憶手段から物品に関連する前記店舗の情報を取得する真贋判定手段と、
前記真贋判定手段が取得した前記店舗の情報を表示する表示手段を備える店舗情報表示システム。
【請求項２】
物品の一部または全部を含む画像データを取得する画像取得手段と、
会社識別情報と会社を判定するための画像データとを関連付けて記憶する会社情報記憶手段と、
前記会社識別情報と、物品の真正品または模倣品を扱う店舗の情報とを関連付けて記憶する店舗情報記憶手段と、
前記画像取得手段が取得した画像データと前記会社を判定するための画像データとに基づいて、前記取得した画像データに含まれる物品に関連する製造元会社を判定し、該判定した製造元会社に基づいて、前記店舗情報記憶手段から、当該会社に関連する前記店舗の情報を取得する会社判定手段と、
前記会社判定手段が取得した前記店舗の情報を表示する表示手段を備える店舗情報表示システム。
【請求項３】
物品の一部または全部を含む画像データを取得する画像取得手段と、
会社識別情報と会社を判定するための画像データとを関連付けて記憶する会社情報記憶手段と、
前記会社識別情報と物品識別情報とを関連付けて記憶する会社物品関連情報記憶手段と、
前記物品識別情報と物品の真正品または模倣品を扱う店舗の情報とを関連付けて記憶する店舗情報記憶手段と、
物品識別情報と物品とを含む画像データとを関連付けて記憶する物品情報記憶手段と、
前記画像取得手段が取得した画像データと前記物品情報記憶手段の画像データとに基づいて、取得した画像の物品が真正品又は模倣品であることを判定する真贋判定手段と、
前記画像取得手段が取得した画像データと前記会社を判定するための画像データとに基づいて、前記取得した画像データに含まれる物品に関連する製造元会社を判定し、前記真贋判定手段の判定の結果と、該製造元会社と、前記会社物品関連情報記憶手段に記憶されている前記会社識別情報および前記物品識別情報に基づいて、前記店舗情報記憶手段から、前記製造元会社に関連する物品を扱う店舗の情報を取得する会社判定手段と、
前記会社判定手段が取得した前記店舗の情報を表示する表示手段を備える店舗情報表示システム。
【請求項４】
前記会社を判定するための画像データは、その会社が使用する商標の画像データである請求項２または３の店舗情報表示システム。
【請求項５】
前記会社判定手段は、前記画像取得手段が取得した画像データと前記会社を判定するための画像データが類似すると判定したとき、前記取得した画像データに含まれる物品に関連する製造元会社は、類似するとされた前記会社を判定するための画像データに関連付けられた会社識別情報で識別される会社であると判定する、請求項２または３の店舗情報表示システム。
【請求項６】
前記真贋判定手段は、前記画像取得手段が取得した画像データと前記物品情報記憶手段の画像データの類似度を計算し、類似度が第一の閾値より大きく、かつ、第一の閾値より大きい第二の閾値より小さいとき、取得した画像データに含まれる物品は、模倣品であると判定する請求項１または３の店舗情報表示システム。
【請求項７】
前記店舗の情報は、店舗の名称、店舗の場所、店舗の連絡先のいずれか一つを含む請求項１乃至６のいずれか一つに記載の店舗情報表示システム。
【請求項８】
物品識別情報と物品を含む画像データとを関連付けて記憶する物品情報記憶手段と、
前記物品識別情報と物品の真正品または模倣品を扱う店舗の情報とを関連付けて記憶する店舗情報記憶手段と、
外部から取得した物品の一部または全部を含む画像データと、前記物品情報記憶手段の画像データとに基づいて、取得した画像データに含まれる物品が真正品または模倣品であることを判定し、該判定の結果に基づいて、前記店舗情報記憶手段から物品に関連する前記店舗の情報を取得し、取得した前記店舗の情報を出力する真贋判定手段と、
を備える装置。
【請求項９】
物品の一部または全部を含む画像データを取得し、
物品識別情報と物品を含む画像データとを関連付けて記憶し、
前記物品識別情報と物品の真正品または模倣品を扱う店舗の情報とを関連付けて記憶し、
前記物品の一部または全部を含む画像データと前記物品識別情報と物品を含む画像データとに基づいて、取得した画像データに含まれる物品が真正品または模倣品であることを判定し、該判定の結果に基づいて、物品に関連する前記店舗の情報を取得し、
前記取得した前記店舗の情報を表示する店舗情報表示方法。
【請求項１０】
コンピュータに、
物品の一部または全部を含む画像データを取得する画像取得処理と、
物品識別情報と物品とを含む画像データを関連付けて記憶する物品情報記憶処理と、
前記物品識別情報と物品の真正品または模倣品を扱う店舗の情報とを関連付けて記憶する店舗情報記憶処理と、
物品の一部または全部を含む画像データと、物品識別情報と物品とを含む画像データとに基づいて、取得した画像データに含まれる物品が真正品または模倣品であることを判定し、該判定の結果に基づいて、物品に関連する前記店舗の情報を取得する真贋判定処理と、
前記真贋判定処理で取得した前記店舗の情報を表示する表示処理とを実行させるプログラム。
【手続補正３】
【補正対象書類名】明細書
【補正対象項目名】０００１
【補正方法】変更
【補正の内容】
【０００１】
本発明は、物品を扱う店舗情報を表示するシステム、装置、方法及びプログラムに関する。
【手続補正４】
【補正対象書類名】明細書
【補正対象項目名】００１０
【補正方法】変更
【補正の内容】
【００１０】
本発明の一形態に係るプログラムは、コンピュータに、物品の一部または全部を含む画像データを取得する画像取得処理と、物品識別情報と物品とを含む画像データを関連付けて記憶する物品情報記憶処理と、前記物品識別情報と物品の真正品または模倣品を扱う店舗の情報とを関連付けて記憶する店舗情報記憶処理と、物品の一部または全部を含む画像データと、物品識別情報と物品とを含む画像データとに基づいて、取得した画像データに含まれる物品が真正品または模倣品であることを判定し、該判定の結果に基づいて、物品に関連する前記店舗の情報を取得する真贋判定処理と、前記真贋判定処理で取得した前記店舗の情報を表示する表示処理とを実行させる。
【国際調査報告】
2016157835.tif 000015
2016157835.tif 000016
2016157835.tif 000017
2016157835.tif 000018